(57)【要約】【課題】薄型、軽量で、且つ低製造コスト、低材料コストである円偏波平面アンテナを提供する。【解決手段】接地導体板に対向して位置する平面の放射導体板１０１の中心を通り直交する２軸の共振モード＃１、＃２の５０Ω整合点に給電点１０６、１０７を有し、前記放射導体板１０１は１枚の方形の金属板からなり、前記方形の金属板の隣接する２辺の各々に両側に切り込みが形成されてなる突起１０２、１０３を有し、前記突起１０２、１０３が前記接地導体板側にほぼ直角に折り曲げられ、前記２つ突起１０２、１０３から互いに９０°の位相差をもって給電され、円偏波を発生するアンテナとする。これにより、薄型、軽量で、且つ低製造コスト、低材料コストである円偏波平面アンテナを実現することができる。【選択図】  図１
2004336237.tif 000002
【特許請求の範囲】
【請求項１】
接地導体板に対向して位置する平面の放射導体板の中心を通り直交する２軸の共振モード＃１、＃２の各々の５０Ω整合点に給電点を有するアンテナにおいて、前記導体板は１枚の方形の金属板からなり、前記方形の金属板の隣接する２辺の各々に両側に切り込みが形成されてなる突起があり、前記突起が前記接地導体板側にほぼ直角に折り曲げられ、前記２つ突起から互いに９０°の位相差をもって給電されされることを特徴する円偏波平面アンテナ。
【請求項２】
接地導体板に対向して位置する平面の放射導体板があり、前記放射導体板の中心を通り直交する２軸の共振モードを用い、前記２軸の共振モード各々の５０Ω整合点に給電点を有するアンテナにおいて、前記放射導体板は１枚の方形あるいは丸形の金属板からなり、前記方形あるいは丸形の金属板の端から両側に切り込みが形成されてなる互いに９０°位置に配置する２つの突起があり、前記２つの突起が前記接地導体板側にほぼ直角に折り曲げられ、前記２つの突起から互いに９０°の位相差をもって給電されることを特徴する円偏波平面アンテナ。
【請求項３】
接地導体板に対向して位置する平面の放射導体板があり、前記放射導体板の中心を通り直交する２軸の共振モードを用い、前記２軸の共振モード各々の５０Ω整合点に給電点を有するアンテナにおいて、前記放射導体板は１枚の方形の金属板からなり、前記方形の金属板の隣合う２つ角から両側に切り込みが形成されてなる互いに２つの突起があり、前記２つの突起が前記接地導体板側にほぼ直角に折り曲げられ、前記２つの突起から互いに９０°の位相差をもって給電されることを特徴する円偏波平面アンテナ。
【発明の詳細な説明】
【０００１】
【産業上の利用分野】
本発明は地球を周回する人工衛星からの電波を利用する測位システムであるＧＰＳ（Ｇｌｏｂａｌ＿Ｐｏｓｉｔｉｏｎｉｎｇ＿Ｓｙｓｔｅｍ）を使用した自動車等に搭載されるカー・ナビゲーション・システムやオフィス等で使用されパソコン等の各情報処理端末機器を相互に無線で結ぶ無線ＬＡＮ等に利用されているアンテナに関するもので、どの方位にも最適な状態で通信がしやすい円偏波アンテナに関するものである。
【０００２】
【従来の技術】
円偏波アンテナには、図６に示すクロスダイポールアンテナと呼ばれる２本のダイポールを互いに中央で直角に交差させ、各々に９０°の位相差を持たせて給電し円偏波を発生させるアンテナや、図７に示す誘電体セラミックスの上面に方形もしくは円形の放射導体を形成し空間的に直交する２軸の共振モードを利用し、各々２つの給電点に９０°の位相差を持たせて給電し円偏波を発生させる誘電体セラミックスアンテナ等が知られている。
【０００３】
【発明が解決しようとする課題】
ＧＰＳを使用したカー・ナビゲーション・システムのアンテナには、よく誘電体セラミックスアンテナが利用されるが、比誘電率が高く帯域は狭いため、比較的広い帯域を必要とする無線ＬＡＮなどのアンテナにはあまり適さない。また、そのアンテナは、比較的構造が複雑、且つ、構成材料が高価であるため、製造コスト、材料コストは高くなり易い。
【０００４】
【課題を解決するための手段】
接地導体板に対向して位置する平面の放射導体板の中心を通り直交する２軸の共振モード＃１、＃２の各々の５０Ω整合点に給電点を有するアンテナにおいて、前記導体板は１枚の方形の金属板からなり、前記方形の金属板の隣接する２辺の各々に両側に切り込みが形成されてなる突起があり、前記突起が前記接地導体板側にほぼ直角に折り曲げられ、前記２つ突起から互いに９０°の位相差をもって給電され、円偏波を発生するアンテナとなる。
【０００５】
また、平面アンテナの放射素子のエッジより給電すると共振周波数での入力インピーダンスは特性インピーダンス５０Ω程度の給電系より高インピーダンス特性を示すため給電系との整合が必要となるが、本発明のアンテナにおいて直交する２軸の共振モード＃１、＃２の各々の５０Ω整合点に切り込みが形成されてなる２つの突起を有し、これにより直接給電するので必要としない。
【０００６】
本発明のアンテナに関しては誘電体セラミックスを使用せず空気層となっているため比誘電率は低くなり帯域は広くなる。
【０００７】
また、放射導体、給電用の導体を１枚の金属板で構成するため構造が簡単となり製造コスト、材料コストは低くなる。
【発明の実施形態】
以下、図面を参照して、本発明の実施例について説明する。
【０００８】
本発明第１の実施形態によるアンテナの概略構成を図１に示す。
接地導体板に対向して位置する平面の放射導体板１０１の中心を通り直交する２軸の共振モード＃１、＃２の５０Ω整合点に給電点１０６、１０７を有し、前記放射導体板１０１は１枚の方形の金属板からなり、前記方形の金属板の隣接する２辺の各々に両側に切り込みが形成されてなる突起１０２、１０３があり、前記突起１０２、１０３が前記接地導体板側にほぼ直角に折り曲げられ、前記２つ突起１０２、１０３から互いに９０°の位相差をもって給電され、円偏波を発生するアンテナを実現している。また、接地導体板には誘電体基板などを使用し、放射導体板側の面は接地導体とし、その裏面には９０°ハイブリッドなどの位相調整器などを備える。
【０００９】
本発明第１の実施形態によるアンテナの放射導体板の両側に切り込みが形成されてなる２つの突起の折り曲げ前の展開図を図２に示す。２４５０ＭＨｚの中心周波数とした場合１辺は４５〜６０ｍｍとなる。切り込みの長さにより変わる接地導体との距離によって異なる。
【００１０】
本発明第１の実施形態によるアンテナの放射パターンを図２に示す。実線（ＲＨＣＰ）は右旋偏波アンテナに対する放射パターン、点線（ＬＨＣＰ）は左旋偏波アンテナに対する放射パターンを示す。
【００１１】
本発明第２の実施形態によるアンテナの概略構成を図４に示す。放射導体板の形状が丸形となっている。
【００１２】
本発明第３の実施形態によるアンテナの概略構成を図５に示す。放射導体板の角に切り込みが形成されてなる突起を有している。
【発明の効果】
以上説明したように、本発明によれば、構造が簡単となり、円偏波を発生する良特性で安価なアンテナの提供が可能となる。
【図面の簡単な説明】
【図１】本発明第１の実施形態によるアンテナの概略構成を示す斜視図
【図２】本発明第１の実施形態によるアンテナの放射導体板の展開図
【図３】本発明第１の実施形態によるアンテナ放射パターンを示す図
【図４】本発明第２の実施形態によるアンテナの概略構成を示す斜視図
【図５】本発明第３の実施形態によるアンテナの概略構成を示す斜視図
【図６】クロスダイポールと呼ばれるアンテナの概略図
【図７】２点給電方式誘電体セラミックスアンテナの概略構成を示す斜視図
【符号の説明】
１０１…放射導体板
１０２…給電用導体１
１０３…給電用導体２
１０４…接地導体
１０５…誘電体基板
１０６…給電点１（５０Ω整合点）
１０７…給電点２（５０Ω整合点）
４０１…放射導体板
４０２…給電用導体１
４０３…給電用導体２
４０４…接地導体
４０５…誘電体基板
４０６…給電点１（５０Ω整合点）
４０７…給電点２（５０Ω整合点）
５０１…放射導体板
５０２…給電用導体１
５０３…給電用導体２
５０４…接地導体
５０５…誘電体基板
５０６…給電点１（５０Ω整合点）
５０７…給電点２（５０Ω整合点）
６０１…ダイポール１
６０２…ダイポール２
７０１…放射導体
７０２…給電点１（５０Ω整合点）
７０３…給電点２（５０Ω整合点）
７０４…接地導体
７０５…誘電体基板
７０６…誘電体セラミックス
【図１】
2004336237.tif 000003
【図２】
2004336237.tif 000004
【図３】
2004336237.tif 000005
【図４】
2004336237.tif 000006
【図５】
2004336237.tif 000007
【図６】
2004336237.tif 000008
【図７】
2004336237.tif 000009